(57)【特許請求の範囲】
【請求項１】
交流商用電源を直流に変換する直流電源装置本体と、直流電源装置本体に交流商用電源を供給する電源コードと、直流電源装置本体で変換された直流電源をコードレス電動工具に供給するコードと、該コードに接続されコードレス電動工具に嵌合するアダプタとからなる直流電源装置において、
前記アダプタは、前記コードレス電動工具に供給する電圧を切換え操作して設定する電圧設定手段と、該電圧設定手段の切換え操作と連動して少なくとも前記電圧設定手段で設定した設定電圧より小さい定格電圧のコードレス電動工具には接続できないように動作する接続防止機構とを有し、複数の定格電圧のコードレス電動工具に接続可能としたことを特徴とする直流電源装置。
【請求項２】
前記接続防止機構は前記電圧設定手段で設定した電圧以外の定格電圧のコードレス電動工具には接続できないように動作することを特徴とする請求項１記載の直流電源装置。
【請求項３】
交流商用電源を直流に変換する直流電源装置本体と、直流電源装置本体に交流商用電源を供給する電源コードと、直流電源装置本体で変換された直流電源をコードレス電動工具に供給するコードと、該コードに接続されコードレス電動工具に嵌合するアダプタとからなる直流電源装置において、
前記アダプタは、前記コードレス電動工具に供給する電圧を切換え操作して設定する電圧設定手段と、該電圧設定手段の切換え操作と連動して少なくとも前記電圧設定手段で設定した設定電圧より小さい定格電圧のコードレス電動工具には装着できないように動作する装着手段とを有し、複数の定格電圧のコードレス電動工具に接続可能としたことを特徴とする直流電源装置。
【請求項４】
前記装着手段は前記電圧設定手段で設定した電圧以外の定格電圧のコードレス電動工具には接続できないように動作することを特徴とする請求項３記載の直流電源装置。
【請求項５】
前記電圧設定手段を前記アダプタの嵌合部に設けたことを特徴とする請求項１、請求項２、請求項３、請求項４いずれか１項記載の直流電源装置。
【請求項６】
前記電圧設定手段に、プラス・マイナス反対にコードレス電動工具に接続できないようにする機能を持たせたことを特徴とする請求項５記載の直流電源装置。
【発明の詳細な説明】
【０００１】
【発明の属する技術分野】
本発明は、交流商用電源を直流に変換する直流電源装置の直流電圧をコードレス電動工具（以下電動工具という）に供給する直流電源装置のアダプタに関するものである。
【０００２】
【従来の技術】
通常電動工具に用いられる電池パックは、１．２Ｖのセルを複数接続し、その出力電圧を種々の電動工具の定格電圧に合わせた９．６Ｖ、１２Ｖ、１４．４Ｖ等に設定している。このため、出力電圧によって接続されるセル数が異なるため、電池パックの外観形状は異なるものとなっていた。
【０００３】
図１１〜図１３に電池パックの一例を示す。図１１〜図１３は、夫々セル数８、１０、１２の９．６Ｖ電池パック２８、１２Ｖ電池パック２９及び１４．４Ｖ電池パック３０を示す上面図及び側面図である。
【０００４】
図１１に示すように９．６Ｖ電池パック２８には、嵌合部２８ａに凸部２８ｂ及び溝２８ｃが設けられ、図示しない定格電圧が９．６Ｖの電動工具（以下９．６Ｖ電動工具という）の電池収納部は電池パック２８の嵌合部２８ａが挿入された際に凸部２８ｂと嵌合する凹部、溝２８ｃと係合する凸部が設けられている。
【０００５】
図１２に示すように１２Ｖ電池パック２９には、嵌合部２９ａに電池パック２８の凸部２８ｂと同形状の凸部２９ｂが設けられ、図示しない１２Ｖ電動工具の電池収納部は電池パック２９の嵌合部２９ａが挿入された際に凸部２９ｂと係合する凹部が設けられている。
【０００６】
９．６Ｖ電池パック２８、１２Ｖ電池パック２９及び９．６Ｖ電動工具、１２Ｖ電動工具を上記した構成とすることによって、１２Ｖ電池パック２９を９．６Ｖ電動工具に挿入しようとすると、嵌合部２９ａ上端が電動工具の電池収納部に設けられた図示しない凸部に当接して電池収納部内に嵌合部２９ａを挿入できないようにし、電動工具の寿命が低下してしまうことを防止している。なお、１２Ｖ電動工具を９．６Ｖ電池パック２８で駆動することは、電動工具の寿命低下を招く恐れが少ないため、１２Ｖ電動工具の電池収納部には９．６Ｖ電池パック２８の嵌合部２８ａを挿入できるようにしている。
【０００７】
また、図１３に示すように１４．４Ｖ電池パック３０には、嵌合部３０ａの電池パック２８、２９の凸部２８ｂ、２９ｂとは異なる位置に凸部３０ｂが設けられ、図示しない１４．４Ｖ電動工具の電池収納部は電池パック３０の嵌合部３０ａが挿入された際に凸部３０ｂと係合する凹部が設けられている。
【０００８】
このような構成とすることによって、１４．４Ｖ電池パック３０を９．６Ｖ電動工具または１２Ｖ電動工具に挿入しようとすると、電動工具の電池収納部下端に電池パック３０の凸部３０ｂが当接して電池収納部内に嵌合部３０ａを挿入できないようにしていると共に、１４．４Ｖ電動工具に９．６Ｖ電池パック２８及び１２Ｖ電池パック２９を挿入しようとすると、電動工具の電池収納部下端に電池パック２８、２９の凸部２８ｂ、２９ｂが当接して電池収納部内に電池パックの嵌合部２８ａ、２９ａを挿入できないようにしている。
【０００９】
なお、夫々の電池パック２８、２９、３０は嵌合部２８ａ、２９ａ、３０ａの一方の側面にのみ凸部２８ｂ、２９ｂ、３０ｂを設け、電池パック２８、２９、３０を対応する定格電圧の電動工具に挿入する際に、嵌合部２８ａ、２９ａ、３０ａを電池収納部内にプラス・マイナス反対方向で挿入されるのを防止している。
【００１０】
また、それぞれの電池パック２８、２９、３０には、電動工具の電池収納部内に嵌合部２８ａ、２９ａ、３０ａを挿入した際に図示しない電動工具の係合部に係合して電池パック２８、２９、３０を電動工具に固定させるラッチ３１、３２が設けられている。
【００１１】
図１１、図１２に示すように電池パック２８と電池パック２９とは、ほぼ同位置に同形状のラッチ３１を設けた構成をしており、電池パック２９のラッチ３１近傍には凸部２９ｃが設けられている。
【００１２】
９．６Ｖ電動工具及び１２Ｖ電動工具には、電池収納部内に夫々の定格電圧と同じ電圧の出力電圧の電池パック２８、２９の嵌合部２８ａ、２９ａを挿入した際にラッチ３１と係合する係合部が設けられており、１２Ｖ電動工具にはラッチ３１と係合する係合部付近に凸部２９ｃと対照な凹部が設けられた構成をしており、これによって電池パック２８、２９が電動工具に装着されるようになる。
【００１３】
このように電池パック２９には凸部２９ｃが設けられた構成をしているので、９．６Ｖ電動工具の電池収納部内に嵌合部２９ａを挿入することができたとしても、凸部２９ｃが電動工具下端に当接してラッチ３１と電動工具の係合部とが係合できず電池パック２９を装着できないようになっている。なお、１２Ｖ電動工具には９．６Ｖ電池パック２８を装着させることが可能となっている。
【００１４】
図１３に示すように１４．４Ｖ電池パック３０にはラッチ３２が電池パック２８、２９とは異なる位置に２個設けられた構成、すなわち電池パック２８、２９がラッチ３２を正面に１個有するのに対して電池パック３０はラッチ３２を両側面に２個有する構成をしており、１４．４Ｖ電動工具には電池パック３０を接続した際にラッチ３２と係合する係合部が両側面に２個設けられている。
【００１５】
このように１４．４Ｖ電池パック３０が９．６Ｖ電池パック２８及び１２Ｖ電池パック２９とは異なる位置にラッチ３２を有する構成をしているので、仮に９．６Ｖ電動工具及び１２Ｖ電動工具の電池収納部内に電池パック３０の嵌合部３０ａを挿入することができたとしてもラッチ３２が電動工具の係合部と係合することはできず、電池パック３０を装着することはできないようになっている。また、１４．４Ｖ電動工具に９．６Ｖ電池パック２８及び１２Ｖ電池パック２９を用いようとしても、ラッチ３１が電動工具の係合部と係合することができず、電池パック２８、２９を装着させることはできない。
【００１６】
上記したように電動工具及び電池パック２８〜３０の形状を工夫し、電動工具の定格電圧よりも大きい出力電圧の電池パック、もしくは異なる出力電圧の電池パックの嵌合部を電池収納部内に挿入することができない構成にする、電動工具の定格電圧よりも大きい出力電圧の電池パック、もしくは異なる出力電圧の電池パックは電動工具に装着することができない構成とすることにより、電動工具に定格電圧よりも大きい出力電圧の電池パック、もしくは異なる出力電圧の電池パックが用いられることを防止して、電動工具の寿命低減、作業能率の低下を抑制するようにしていた。
【００１７】
図１０に直流電源装置の一例を示す。直流電源装置本体１は交流電源に接続される電源コード４を有し、一端が本体１に取付けられたコード３を備えたアダプタ２を有している。
【００１８】
アダプタ２は上記した電池パックと同じ形状をし、電動工具３３に装着可能な構成をしており、コード３を介して本体１の直流電圧を電動工具３３に供給する。
【００１９】
従来の直流電源装置は、上記したように電動工具３３の電池収納部の形状が定格電圧によって異なる形状をしたものであったので、定格電圧の電動工具３３に対応したアダプタ２を複数個用意し、用いる電動工具３３に応じて出力電圧を設定すると共にアダプタ２を使い分けるものであった。例えば９．６Ｖ電動工具３３を用いる場合には９．６Ｖ電池パック２８と同形状のアダプタ２を使用し、１４．４Ｖ電動工具３３を用いる場合には１４．４Ｖ電池パック３０と同じ形状のアダプタ２を使用するものであった。
【００２０】
【発明が解決しようとする課題】
上記したように従来の直流電源装置は、定格電圧の異なる電動工具３３に対応したアダプタ２を複数個用意し、用いる電動工具３３に応じて出力電圧を設定すると共にアダプタ２を使い分けるというものであったため、用いる電動工具３３を定格電圧が異なるものに変更する際には、直流電源装置本体１の出力電圧を設定すると共に直流電源装置本体１に接続するアダプタ２を取替えなければならず、煩雑であると共に複数のアダプタ２を持ち合わせなければならず、作業性が悪いという欠点があった。
【００２１】
本発明の目的は、上記欠点を解消し、定格電圧の異なる電動工具に対応することができる直流電源装置のアダプタを提供することである。
【００２２】
【課題を解決するための手段】
上記の目的を達成するために本発明は、交流商用電源を直流に変換する直流電源装置本体と、直流電源装置本体に交流商用電源を供給する電源コードと、直流電源装置本体で変換された直流電源をコードレス電動工具に供給するコードと、該コードに接続されコードレス電動工具に嵌合するアダプタとからなる直流電源装置において、前記アダプタは、前記コードレス電動工具に供給する電圧を切換え操作して設定する電圧設定手段と、該電圧設定手段の切換え操作と連動して少なくとも前記電圧設定手段で設定した設定電圧より小さい定格電圧のコードレス電動工具には接続できないように動作する接続防止機構とを有し、複数の定格電圧のコードレス電動工具に接続可能としたことに一つの特徴を有する。
【００２３】
【発明の実施の形態】
以下一実施形態を示す図１〜図９を参照して本発明直流電源装置のアダプタを説明する。図１は本発明アダプタを示す側面図、図２は本発明アダプタを示す正面図、図３は図１の要部断面図、図４は図１のＡ−Ａ線断面図、図５は図２のＢ−Ｂ線断面図、図６は図４のＣ−Ｃ線断面図、図７〜図９は本発明アダプタの動作状態を示す上面図及び側面図である。
【００２４】
図に示すように、アダプタ２は、嵌合部２ａを構成する上ケース５と、直流電源装置本体１に接続されるコード３を保持するコードアーマ２４が取り付けられた下ケース６とから構成される。
【００２５】
上ケース５の上方には電動工具に直流電圧を供給する接点となるターミナル７を露出させる上部穴５ａが設けられ、上部穴５ａの横には溝５ｃが設けられている。上部穴５ａの下方にはケース５、６内に設けられたノブ１１の凸部１１ａを突出させる下部穴５ｂが設けられている。
【００２６】
下ケース６の正面位置には定格電圧が９．６Ｖ及び１２Ｖの電動工具に設けられた図示しない係合部と係合する第１ラッチ１０が設けられており、第１ラッチ１０は先端部に電動工具の係合部と係合する爪部１０ａを有する。また、下ケース６の両側面位置にはラッチホルダ９及び定格電圧が１４．４Ｖの電動工具に設けられた係合部と係合する第２ラッチ８が設けられている。第１ラッチ１０あるいは第２ラッチ８をそれぞれ対応する９．６Ｖ及び１２Ｖ、１４．４Ｖの電動工具の係合部に係合させることにより、アダプタ２を電動工具に装着させることができる。
【００２７】
ケース５、６内に設けられたノブ１１の内側面には鉛直方向に延びた溝１１ｄが横方向に３個設けられ、ノブ１１の内側面と接触するターミナルホルダ１２にはボール１３及びボール１３を常にノブ１１側に付勢するスプリング１４が設けられ、ボール１３とノブ１１のいずれかの溝１１ｄとが係合するようになっている。これによってノブ１１は横方向に３段階移動可能となっている。
【００２８】
第１ラッチ１０は、図示しない付勢手段によって付勢され、第１ラッチ１０の爪部１０ａが常時外側方向に突出するようになっている。また、上ケース５の爪部１０ａの近傍位置には横穴５ｄが設けられ横穴５ｄよりノブ１１の前端部１１ｃが突出している。
【００２９】
図３、図５に示すように上ケース５及び下ケース６内においてノブ１１の下端に設けられた溝１１ｅには、ノブ１１の横方向の移動と連動して同方向に移動し、基板１６に固定されたトグルスイッチ１７と係合したレバー１５が係合している。
【００３０】
ノブ１１がスプリング１４の付勢力に抗してボール１３と溝１１ｄとの係合を解除して横方向に移動し、これに連動してレバー１５がノブ１１と同方向に移動すると、トグルスイッチ１７が切り替わる構成となっている。基板１６にはトグルスイッチ１７の他に３個の抵抗１８と電解コンデンサ１９が設けられている。トグルスイッチ１７はレバー１５の移動に従って抵抗１８を選択し、選択された抵抗１８の抵抗値は前記直流電源装置本体１に送られ、直流電源装置本体１は入力された抵抗値を判別してその抵抗値に対応した電圧すなわち９．６Ｖ、１２Ｖ、１４．４Ｖのいずれかを出力する。ターミナルホルダ１２にはターミナル７が固定され、ターミナル７と基板１６とは図５に示すようにリードワイヤ２０によって接続されている。また、基板１６にはコードアーマ２４により保持され一端が直流電源装置本体１と接続したコード３の他端が接続されている。
【００３１】
コード３は直流電源装置本体１より電動工具に供給する２本の電力線と前記抵抗値を直流電源装置本体１に送る１本の信号線の３芯で構成されている。ターミナルホルダ１２は弾性素材により成形されたコードアーマ２４の上に乗り、コードアーマ２４の弾性により、上ケース５と下ケース６の間に押し付けられて固定される。
【００３２】
ラッチホルダ９に覆われた第２ラッチ８は、図４に示すように、ラッチホルダ９に板ばね２１により押し付けられ、ラッチホルダ９に対して下面８ａを支点に爪部８ｂが回動自在な構成となっている。また、板ばね２１により一体となっている第２ラッチ８とラッチホルダ９はラッチホルダ９の下端９ａを支点として回動可能に構成されている。
【００３３】
レバー１５は、図６に示す如く、６個所の約４５度の傾斜を持つカム面１５ａ、１５ｂ、１５ｃ、１５ａ’、１５ｂ’、１５ｃ’を有し、左右対称の形状となっている。レバー１５が図６中で上下に移動する時、以下の様にラッチホルダ９を移動させる。レバー１５が図６中、下方向に移動する時、レバー１５のカム面１５ａ、１５ｃ、１５ａ’、１５ｃ’はラッチホルダ９の傾斜面９ｂ、９ｃ、９ｂ’、９ｃ’に接し、レバー１５が図中下向きに動く力のカム面による分力でラッチホルダ９を下ケース６の側面方向へ押し出す。続いて、レバー１５のカム面１５ａ、１５ｃ、１５ａ’、１５ｃ’につながる平面部１５ｄ、１５ｅ、１５ｄ’、１５ｅ’が、ラッチホルダ９の傾斜面９ｂ、９ｃ、９ｂ’、９ｃ’につながる平面部９ｄ、９ｅ、９ｄ’、９ｅ’に接し、第２ラッチ８を押圧する板ばね２１に抗して第２ラッチ８を押す力が加わってもラッチホルダ９の位置が変らないようにレバー１５がラッチホルダ９を支える。また、ラッチホルダ９の第２ラッチ８の横の位置には平面部９ｆ、９ｆ’が設けてある。レバー１５が図６中、上方向に移動する時、レバー１５のカム面１５ｂ、１５ｂ’はラッチホルダ９に組込まれた第２ラッチ８の爪部８ａの下部８ｂ、８ｂ’に接し、レバー１５が図６中上向きに動く力のカム面による分力でラッチホルダ９を下ケース６の内側へ引き込む。
【００３４】
以上のように構成された電動工具用の直流電源装置のアダプタ２は電圧設定の操作を行うことにより、連動して異電圧への挿入防止、逆差しの防止、電動工具への装着手段の選択も行うことができ、その操作は以下のような手順にて行われる。図７は出力電圧を９．６Ｖに設定したアダプタ２の状態を示す上面図及び側面図、図８は出力電圧を１２Ｖに設定したアダプタ２の状態を示す上面図及び側面図、図９は出力電圧を１４．４Ｖに設定したアダプタ２の状態を示す上面図及び側面図である。
【００３５】
アダプタ２の出力電圧を９．６Ｖに設定するには、図７に示すように上ケース５の下部穴５ｂから突出しているノブ１１の凸部１１ａを図中左位置に移動させることにより行われる。この時、ノブ１１と係合しているレバー１５はノブ１１の動きに合わせて移動し、トグルスイッチ１７を切り替えて基板１６が９．６Ｖ用の抵抗値を発生するようにする。また、図６に示すレバー１５のカム面１５ｂ、１５ｂ’は第２ラッチ８の爪部８ａの下部８ｂ、８ｂ’に接し、第２ラッチ８とラッチホルダ９を下ケース６の内側へ引き込む。図７（ｂ）に点線で示すように、ノブ１１の上端１１ｂは上ケース５内の上部穴５ａと溝５ｃとの中間位置に位置し、溝５ｃが開いた状態となり、溝５ｃは図１１に示す出力電圧が９．６Ｖの電池パック２８の溝２８ｃと同様に定格電圧が９．６Ｖの電動工具の電池収納部に設けられた図示しない凸部と係合することができる。また、ノブ１１の前端１１ｃは図７に示す位置にあり、定格電圧が９．６Ｖの電動工具に設けられている突起に当たらない。以上により、図７に示す状態のアダプタ２の嵌合部２ａを定格電圧が９．６Ｖの電動工具の電池収納部に挿入させることができる。なお、アダプタ２を電動工具へ取付ける装着手段は、第１ラッチ１０により行われ、第２ラッチ８は下ケース６の内側に入っており電動工具へ作用できない。また、図７に示す状態のアダプタ２の嵌合部２ａを定格電圧が１２Ｖの電動工具の電池収納部内に挿入させることができ、１４．４Ｖの電動工具に対しては上ケース５の側面からでているノブ１１の凸部１１ａが電池収納部下端に当接し挿入させることができないようになっている。図７に示すアダプタ２を９．６Ｖの電動工具にプラス・マイナス逆方向に装着させようとした場合には、ノブ１１の上ケース５の側面に突出している凸部１１ａが電池収納部下端に当接し装着させることができない。
【００３６】
アダプタ２の出力電圧を１２Ｖに設定するには、図８に示すようにノブ１１の凸部１１ａを図８中の中央位置に移動させることにより行われる。ノブ１１が移動することによりノブ１１と係合しているレバー１５が移動し、トグルスイッチ１７は１２Ｖに対応する抵抗１８を選択する。また、図６に示すレバー１５のカム面１５ｂ、１５ｂ’と第２ラッチ８の爪部８ａの下部８ｂ、８ｂ’はカム面の終端より中間寄りで接することになるが、レバー１５のカム面１５ａ、１５ｃ、１５ａ’、１５ｃ’はラッチホルダ９の傾斜面９ｂ、９ｃ、９ｂ’、９ｃ’により押し出される位置にはいたらず、第２ラッチ８とラッチホルダ９は下ケース６の内側で保持される。図８に示すように、ノブ１１の上端１１ｂは上ケース５の溝５ｃを塞ぐ位置に移動し、この状態のアダプタ２の嵌合部２ａを定格電圧が９．６Ｖの電動工具の電池収納部に挿入させようとすると電池収納部内に設けられた突起がノブ１１の上端１１ｂに当接し嵌合部２ａを電池収納部内に挿入させることができない。また、図８に示すように、ノブ１１の前端１１ｃは図７に示す状態よりも下ケース６の外側方向に移動し、この状態のアダプタ２の嵌合部２ａを定格電圧が９．６Ｖの電動工具の電池収納部に挿入させようとすると電池収納部下端に設けられている突起がノブ１１の前端１１ｃと当接し、第１ラッチ１０と電動工具の係合部とを係合させることができない。
【００３７】
上記した理由により、図８に示すように出力電圧を１２Ｖに設定したアダプタ２の嵌合部２ａは定格電圧が１２Ｖの電動工具の電池収納部には挿入させることができるが、９．６Ｖの電動工具の電池収納部には挿入させることができない。なお、電動工具への装着手段は上記したように第１ラッチ１０により行われ、第２ラッチ８は下ケース６の内側に入っており作用できない。
【００３８】
定格電圧が１４．４Ｖの電動工具に対しては出力電圧を９．６Ｖに設定した場合と同様であり、また電動工具へのアダプタ２のプラス・マイナス逆方向での装着は、ノブ１１の凸部１１ａによって阻止される。
【００３９】
アダプタ２の出力電圧を１４．４Ｖに設定するには、図９に示すようにノブ１１の凸部１１ａを図中右位置に移動させることにより行われる。ノブ１１が移動することによりノブ１１と係合しているレバー１５が移動し、トグルスイッチ１７は１４．４Ｖに対応する抵抗１８を選択する。また、図６に示すレバー１５のカム面１５ａ、１５ｃ、１５ａ’、１５ｃ’はラッチホルダ９の傾斜面９ｂ、９ｃ、９ｂ’、９ｃ’に接し、下ケース６の側面方向へ押し出す。続いて、レバー１５のカム面１５ａ、１５ｃ、１５ａ’、１５ｃ’につながる平面部１５ｄ、１５ｅ、１５ｄ’、１５ｅ’が、ラッチホルダ９の傾斜面９ｂ、９ｃ、９ｂ’、９ｃ’につながる平面部９ｄ、９ｅ、９ｄ’、９ｅ’を保持し、第２ラッチ８に板ばね２１に対抗して第２ラッチ８を押す力が加わってもラッチホルダ９の位置が変らないようにレバー１５がラッチホルダ９を支える。
【００４０】
レバー１１は図９（ｂ）に点線で示した位置に移動するため、ノブ１１の上端１１ｂは上ケース５の溝５ｃを開いた状態とさせ、また、凸部１１ａは定格電圧が１４．４Ｖの電動工具の電池収納部に設けられた凹部と係合する個所に位置するようになる。また、図９に示すようにノブ１１の前端１１ｃは図８に示す状態よりも下ケース６の外側方向に移動する。このため、この状態のアダプタ２の嵌合部２ａを定格電圧が９．６Ｖあるいは１２Ｖの電動工具の電池収納部に挿入させることは、凸部１１ａが電池収納部の下端に当接すること及び前端１１ｃが電池収納部の下端に当接することによりできない。なお、ラッチホルダ９の平面部９ｆ、９ｆ’はアダプタ２を定格電圧が１４．４Ｖの電動工具に装着させた際にケースの内面を押しアダプタ２ががたつかないように支えるものであるが、定格電圧が９．６Ｖ、１２Ｖの電動工具のケース形状から出張り装着させることができないように働く。以上により、図９に示すように出力電圧を１４．４Ｖに設定したアダプタ２を、定格電圧が９．６Ｖ及び１２Ｖの電動工具に装着することはできない。
【００４１】
上ケース５の形状が図１３に示す出力電圧が１４．４Ｖの電池パック３０より小さいためにノブ１１の前端１１ｃが電池収納部下端に当接することがないと共に第１ラッチ１０が作用することはなく、上記した状態のアダプタ２を定格電圧が１４．４Ｖの電動工具の電池収納部に挿入させることができる。
【００４２】
また、電池収納部への装着手段は、ノブ１１の移動と連動するレバー１５の働きにより定格電圧が１４．４Ｖの電動工具の電池収納部の係合部と係合可能となった第２ラッチ８により行われる。アダプタ２をプラス・マイナス逆方向で電池収納部に挿入させることは、ノブ１１の凸部１１ａによって阻止される。
【００４３】
上記実施形態では、定格電圧が１２Ｖの電動工具に出力電圧を９．６Ｖに設定した状態のアダプタ２を接続することができるものとしたが、定格電圧と出力電圧とが同じでないとアダプタ２を電動工具に接続することができない構成としても良い。
【００４４】
また、上記実施形態では、電動工具の定格電圧よりも大きな電圧を出力する状態のアダプタ２は電動工具の電池収納部に収納させることができない構成としたと共にアダプタ２を電動工具に装着させるための第１ラッチ１０あるいは第２ラッチ８が電池収納部の係合部と係合させることができない構成としたが、いずれか１つの構成を有するものでも良い。
【００４５】
なお、図７（ａ）、図８（ａ）、図９（ａ）に示したように下ケース６上面の凸部１１ａ付近に凸部１１ａを移動させることにより切り替わる出力電圧を記載することにより、出力電圧設定操作の操作性を向上させることができる。
【００４６】
上記したようにアダプタ２に出力電圧を設定可能な出力電圧設定手段を設けたので、１つのアダプタ２により定格電圧の異なる電動工具を使用することができ、出力電圧の異なるアダプタ２を複数個必要とすることがなく、定格電圧の異なる電動工具を使う際にアダプタ２を取り替える必要がなくなり、作業性の向上を図ることができるようになる。また、出力電圧設定手段の電圧設定操作と連動して、出力電圧と異なる定格電圧の電動工具には接続することができないように働く接続防止機構を設けたので、定格電圧よりも大きな電圧を電動工具に供給して電動工具の寿命を低下させてしまうことを防止することができる。
【００４７】
また、出力電圧の設定操作をするノブ１１の凸部１１ａをアダプタ２の嵌合部２ａより突出させた構成としたことにより、アダプタ２の嵌合部２ａを電動工具の電池収納部内に挿入させた状態では、アダプタ２の出力電圧を設定することができないようになるので、電動工具使用時に誤ってアダプタ２の出力電圧を変更してしまう恐れがないと共にアダプタ２を電動工具の電池収納部内に挿入させた状態でノブ１１を移動させてしまい電位収納部内の部材及びノブ１１を破損させてしまうようなことがない。
【００４８】
また、電動工具の一部と係合し電動工具にアダプタを装着させる装着手段を定格電圧の異なる複数の電動工具に対応可能な構成としたことにより、１つのアダプタで複数の電動工具に対応することができるようになる。
【００４９】
【発明の効果】
上記したように本発明によれば、直流電源装置から供給される電圧を設定可能な電圧設定手段を設けると共に電圧設定手段の操作と連動して、設定電圧よりも小さい定格電圧を持つ電動工具には接続できないように動作する接続防止機構を設ける、あるいは直流電源装置から供給される電圧を設定可能な電圧設定手段を設けると共に電圧設定手段の操作と連動して、設定電圧と異なる定格電圧を持つ電動工具には接続できないように動作する接続防止機構を設けたことにより、定格電圧の異なる電動工具に対応することができる直流電源装置のアダプタを提供することができるようになる。
【図面の簡単な説明】
【図１】本発明直流電源装置のアダプタの一実施形態を示す側面図。
【図２】本発明直流電源装置のアダプタの一実施形態を示す正面図。
【図３】図１の要部断面図。
【図４】図１のＡ−Ａ線断面図。
【図５】図２のＢ−Ｂ断面を示す断面図。
【図６】図４のＣ−Ｃ断面を示す断面図。
【図７】本発明アダプタの一動作状態を示す上面図及び側面図。
【図８】本発明アダプタの一動作状態を示す上面図及び側面図。
【図９】本発明アダプタの一動作状態を示す上面図及び側面図。
【図１０】直流電源装置の一例を示す斜視図。
【図１１】９．６Ｖ電池パックの一例を示す上面図及び正面図。
【図１２】１２Ｖ電池パックの一例を示す上面図及び正面図。
【図１３】１４．４Ｖ電池パックの一例を示す上面図及び正面図。
【符号の説明】
１は直流電源装置本体、２はアダプタ、３はコード、４は電源コード、５は上ケース、６は下ケース、７はターミナル、８は第２ラッチ、９はラッチホルダ、１０は第１ラッチ、１０ａは爪部、１１はノブ、１１ａは凸部、１１ｂはノブ上端、１１ｃはノブ前端、１１ｄは溝、１２はターミナルホルダ、１３はスチールボール、１４はスプリング、１５はレバー、１６は基板、１７はトグルスイッチ、１８は抵抗、２１は板ばね、２４はコードアーマ、２８は９．６Ｖ電池パック、２９は１２Ｖ電池パック、３０は１４．４Ｖ電池パック、３３は電動工具である。
【図１】
0004234875.tif 000002
【図２】
0004234875.tif 000003
【図３】
0004234875.tif 000004
【図４】
0004234875.tif 000005
【図５】
0004234875.tif 000006
【図６】
0004234875.tif 000007
【図７】
0004234875.tif 000008
【図８】
0004234875.tif 000009
【図９】
0004234875.tif 000010
【図１０】
0004234875.tif 000011
【図１１】
0004234875.tif 000012
【図１２】
0004234875.tif 000013
【図１３】
0004234875.tif 000014